(57)【特許請求の範囲】
【請求項１】
ポンプケース内に回転自在に設けた１対の同形のシリンダブロックから出没する複数本のピストンの頭部を、互いに噛み合う１対の歯車の側面に旋回自在に係着し、一方の歯車をこれに取り付けた入力軸で回転させることにより他方の歯車を回転させて同一傾転角で各シリンダブロックから等量の流体を吐出するダブルポンプに於いて、該１対の歯車の歯数を異ならせ、いずれか一方のシリンダブロックを出没するピストンの直径を増加又は減少させて入力軸の回転に対する両シリンダブロックからの吐出量を等しくしたことを特徴とする等量吐出ダブルピストンポンプの歯車騒音低減方法。
【請求項２】
上記１対の歯車の回転中心軸間の距離を変更できない場合には、いずれか一方の歯車の歯数を増加させ、その増加分だけをもう一方の歯車の歯数を減少させて１対の歯車の歯数を異ならせたことを特徴とする請求項１に記載の等量吐出ダブルピストンポンプの歯車騒音低減方法。
【請求項３】
上記１対の歯車の回転中心軸間の距離を変更出来る場合は、いずれか一方の歯車の歯数を増減させて１対の歯車の歯数を異ならせたことを特徴とする請求項１に記載の等量吐出ダブルピストンポンプの歯車騒音低減方法。
【発明の詳細な説明】
【０００１】
【発明の属する技術分野】
本発明は、ポンプケース内に１本の入力軸により回転される１対のシリンダブロックを備えてこれにより等量の流体を吐出するダブルピストンポンプの歯車騒音低減方法に関する。
【０００２】
【従来の技術】
従来よりこの種のダブルピストンポンプは例えば実公昭５７−２０９号公報にも見られるように公知であり、ポンプケース内に回転自在に設けた１対の同形のシリンダブロックから出没する複数本のピストンの頭部を、互いに噛み合う１対の歯車の側面に旋回自在に係着し、エンジン等で回転される入力軸の先端を一方の歯車の側面に取り付け、該入力軸の回転で両歯車を回転させて各シリンダブロックから等量の流体を吐出させるようになっている。
【０００３】
【発明が解決しようとする課題】
上記従来のダブルピストンポンプは、歯車騒音が比較的大きいという欠点がある。この騒音の原因は、シリンダブロックを回転させる１対の歯車の歯数は同数であり、各シリンダブロックのピストンの直径は同径に形成されており、入力軸が１回転すると、両歯車とシリンダブロックが１回転することになるが、両歯車の歯数が同数であるため、その１回転毎に１度は必ず同じ歯同士の噛み合いが生じ、特定周波数（ｆ＝歯数×回転数／６０）の騒音が発生し、これが耳障りな騒音として感じられるためであると考えられる。この騒音対策として、現在は静粛な噛み合いが得られるように歯形の精度を厳しく仕上げて対処しているが、充分な効果が得られないことがままある。
【０００４】
本発明は、こうした等容量吐出ダブルピストンポンプの歯車騒音を低減すること、及び既存のこの種ポンプにも適用可能な方法を提供することをその目的とするものである。
【０００５】
【課題を解決するための手段】
本発明では、ポンプケース内に回転自在に設けた１対の同形のシリンダブロックから出没する複数本のピストンの頭部を、互いに噛み合う１対の歯車の側面に旋回自在に係着し、一方の歯車をこれに取り付けた入力軸で回転させることにより他方の歯車を回転させて同一傾転角で各シリンダブロックから等量の流体を吐出するダブルポンプに於いて、該１対の歯車の歯数を異ならせ、いずれか一方のシリンダブロックを出没するピストンの直径を増加又は減少させて入力軸の回転に対する両シリンダブロックからの吐出量を等しくすることにより、上記の目的を達成するようにした。該１対の歯車の歯数を異ならせる手段として、該１対の歯車の回転中心軸間の距離を変更できない場合には、いずれか一方の歯車の歯数を増加させ、その増加分だけをもう一方の歯車の歯数を減少させ、該１対の歯車の回転中心軸間の距離を変更出来る場合は、いずれか一方の歯車の歯数を増減させて１対の歯車の歯数を異ならせることが好ましい。
【０００６】
【発明の実施の形態】
本発明の実施の形態を図１及び図２に基づき説明すると、これらの図に於いて符号１はポンプケース、２ａ、２ｂは該ポンプケース１内の奥部に設けたレンズ状の球面を有するコントロールプレート３、３に端部を摺接させて回転する１対のシリンダブロックを示す。各シリンダブロック２ａ、２ｂには、その回転軸のまわりに等間隔でその回転軸方向に延びるシリンダ４が複数本形成され、各シリンダ４にはピストン５が該シリンダブロックの他端側から出没自在に装着される。各ピストン５の頭部は球状に形成され、駆動板の役目をする互いに噛み合った歯車６ａ、６ｂの側面に旋回自在に係着される。該ポンプケース１は２個に分離されていてもよく、歯車６ａ、６ｂはポンプケース１の外部に設けることも可能である。
【０００７】
一方の歯車６ａはエンジン等により回転される入力軸７の軸端に取り付けられて回転され、もう一方の歯車６ｂは回転自在のアイドル軸８に取り付けられて噛み合う一方の歯車６ａより回転される。両歯車６ａ、６ｂの回転に伴いピストン５が回転軸まわりに回転されると、各ピストン５の回転力でシリンダブロック２ａ、２ｂが回転され、該シリンダブロック２ａ、２ｂの回転中心軸と歯車６ａ、６ｂの回転中心軸との間に傾転角αが存在するとき、各コントロールプレート３に形成した吸入ポート９から各シリンダ４内へ流体を吸入すると共に該流体を加圧して吐出ポート１０へ吐出するポンプ作用を行う。両コントロールプレート３はコントロールシリンダ等の適当な調整手段１１により同期して該傾転角αを変更するように移動され、該傾転角αが０のときにはポンプ吐出量が０になる。
【０００８】
以上の構成は従来のダブルピストンポンプと特に変わりがないが、本発明では１対の歯車６ａ、６ｂの歯数を異ならせ、いずれか一方のシリンダブロック２ａ、又は２ｂから出没するピストン５の直径を増加又は減少させて両シリンダブロック２ａ、２ｂから等量の流体が吐出されるようにした。
【０００９】
本発明は、従来の等量吐出ダブルピストンポンプと異なり、歯車６ａ、６ｂの歯数が同数でないことにより、１回転毎に噛み合う相手歯車がずれてきて、両歯車の歯数が最小公倍数になってやっと初めの歯同士の噛み合いとなるため、従来のもののような１回転毎に同一の歯同士の噛み合いがないので、特定周波数の騒音が出にくくなる。
【００１０】
また、既存のこの種のダブルピストンポンプの歯車騒音を低減させる場合、歯車６ａ、６ｂの回転軸間の距離Ｌが変更可能であるなら、歯車６ａ、６ｂのいずれか一方の歯数を増加或いは減少させ、もし、距離Ｌの変更が出来ない構造であるなら、歯車６ａ、６ｂのいずれか一方の歯数を増加させると共に他方の歯数をその増加分だけ減少させることにより距離Ｌを変えることなく騒音の低減が行える。勿論、これらの場合でもいずれか一方のシリンダブロックのピストン５の直径を増加或いは減少させて入力軸７の回転に対する両シリンダブロック２ａ、２ｂからの吐出量を等しくする。例えば、距離Ｌが変更可能な場合、アイドル軸８の歯数を少なくすると、アイドル軸８の回転速度が高くなるため、ピストン径、及びシリンダブロック２ａ、２ｂの大きさを小さくできる。これによって、ポンプ全体の大きさがコンパクト、軽量になり、コストダウンが図れる。
【００１１】
各シリンダブロック２ａ、２ｂの各シリンダ４の内部の圧力は、吐出ポート１０に対面した高圧状態から吸入ポート９に対面した低圧状態に、或は吸入ポート９に対面した低圧状態から吐出ポート１０に対面した高圧状態に急変し、その切り替わりの際に脈動騒音が発生するが、両歯車６ａ、６ｂの歯数を異ならせることにより両シリンダブロック２ａ、２ｂの位相が両歯車の歯数の差の分ずつずれてくるので、歯車騒音低減と同時に特定の脈動が発生しにくくなり脈動騒音も低下させることもできる。
【００１２】
【実施例】
図示の構成を有する既存のピストンポンプの入力軸７に固定の歯車６ａ、６ｂの歯数が４１枚、４１枚で両歯車の回転軸間の距離Ｌを変更できず、両シリンダブロック２ａ、２ｂのピストン５の直径がすべて２０ｍｍで両歯車の歯は１回転毎に同じ歯同士が噛み合う場合、入力軸７で回転駆動される歯車６ａの歯数を４２枚とし、その増加した歯数１枚の分だけアイドル軸８に取り付けた歯車６ｂの歯数を減少させて４０枚とする。そして該歯車６ｂで回転されるシリンダブロック２ｂのピストン５の直径を１９．５１８ｍｍに減少させ、１回転当たりの各シリンダブロック２ａ、２ｂからの吐出量が同量になるようにした。こうすることによって、歯数の最小公倍数で両歯車の同一の歯が噛み合い、聴取される騒音が大幅に低下する。
【００１３】
【発明の効果】
以上のように本発明によるときは、１対の歯車で１対のシリンダブロックを回転させる等量吐出ダブルピストンポンプの該１対の歯車の歯数を異ならせ、いずれか一方のシリンダブロックのピストンの直径を増加又は減少させて入力軸の回転に対する両シリンダブロックの吐出量を等しくしたので、両歯車の同一の歯が噛み合う回数が減少し、等量吐出機能を損なうことなく歯車騒音を減少させることができ、歯車を高精度に仕上げる必要もないので安価に製作でき、既存のものでも簡単に低騒音化できる等の効果がある。
【図面の簡単な説明】
【図１】  本発明の実施の形態を示す切断平面図
【図２】  図１の２−２線断面図
【符号の説明】
１  ポンプケース、    ２ａ、２ｂ  シリンダブロック、    ４  シリンダ、
５  ピストン、        ６ａ、６ｂ  歯車、                ７  入力軸、
【図１】
0003756242.tif 000002
【図２】
0003756242.tif 000003